(57)【要約】  エアインタフェースリソースを監視する無線リソース制御ユニットは、エアインタフェース測定値を得るエアインタフェース測定ユニットと、エアインタフェース測定値および対応するタイムスタンプを格納する記憶装置と、エアインタフェース測定値を処理する処理装置とを含む。インタフェース測定値の少なくとも一部は予測値でよい。
2007521746.tif 000002
【特許請求の範囲】
【請求項１】
エアインタフェースリソースを監視し、無線リソース管理に関する出力を提供する無線リソース制御ユニットであって、
エアインタフェース測定値を得るエアインタフェース測定ユニットと、
前記エアインタフェース測定値を格納する記憶装置と、
前記出力を提供するために、前記エアインタフェース測定値を処理する処理装置と、
を備え、
前記エアインタフェース測定値の少なくとも一部は予測測定値であることを特徴とする制御ユニット。
【請求項２】
前記エアインタフェース測定値の少なくとも一部は、実際の測定値であることを特徴とする請求項１に記載の制御ユニット。
【請求項３】
実際の測定値および予測測定値が、前記処理装置によって選択的に組み合わされることを特徴とする請求項２に記載の制御ユニット。
【請求項４】
前記記憶装置は、格納したエアインタフェース測定値ごとにタイムスタンプも格納し、前記タイムスタンプは、前記エアインタフェース測定値が格納された時刻に対応することを特徴とする請求項１に記載の制御ユニット。
【請求項５】
無線リソース管理データを得る方法であって、
エアインタフェース測定値を得るステップと、
前記エアインタフェース測定値を格納するステップと、
各エアインタフェース測定値が格納される時間を示すタイムスタンプを生成および格納するステップと、
出力データを提供するために、前記エアインタフェース測定値を処理するステップと、
を備え、
前記エアインタフェース測定値の少なくとも一部は予測値であることを特徴とする方法。
【請求項６】
処理する前記ステップは、対応するタイムスタンプをしきい値と比較することによってエアインタフェース測定値が有効であるかどうかを判定し、前記タイムスタンプが前記エアインタフェースしきい値よりも古い場合、前記エアインタフェース測定値は無効と宣言されることを特徴とする請求項５に記載の方法。
【請求項７】
処理する前記ステップは、
過渡期間の発生を判定すること、および
エアインタフェース測定値のタイムスタンプを過渡期間の発生と比較することによってエアインタフェース測定値が有効であるかどうかを判定し、前記タイムスタンプが前記過渡期間内にある場合、前記エアインタフェース測定値を無効と宣言すること、
を特徴とする請求項５に記載の方法。
【請求項８】
前記判定することは、前記エアインタフェース測定値が格納されるときに実行され、対応する有効性の表示も前記エアインタフェース測定値と共に格納されることを特徴とする請求項７に記載の方法。
【請求項９】
前記出力データは、デフォルト値を含むことを特徴とする請求項５に記載の方法。
【請求項１０】
前記出力データは、予測値と実際のデータの組合せを含むことを特徴とする請求項５に記載の方法。
【発明の詳細な説明】
【技術分野】
【０００１】
本発明は、一般には無線通信システムに関する。より詳細には、本発明は、測定値ベースの無線リソース管理を使用する無線通信システムに関する。
【背景技術】
【０００２】
無線通信システムでの無線リソース管理（ＲＲＭ）の目的は、エアインタフェース上のリソース（すなわち無線リソース）の使用を効率的に管理することである。エアインタフェース能力を最大にし、接続信頼性およびネットワーク安定性を保証し、無線送信／受信ユニット（ＷＴＲＵ）の電池消費を低減するために、無線リソースのインテリジェント管理が不可欠である。
【０００３】
典型的なＲＲＭ機能には、１）システム負荷および品質目標に基づいて、新しい無線リンクを求める要求を許可または拒絶するコールアドミッション制御、２）ＷＴＲＵがあるセルのカバレッジエリアから別のセルのカバレッジエリアに移動するとき、呼（接続）がドロップされないように保証するハンドオーバ制御、３）許容可能なリンク品質を提供すると共に干渉レベルを最小に維持する出力電力制御、４）個々の無線リンクに関するサービス品質要件が満たされるように保証する無線リンクメインテナンス、および５）高輻輳の期間にネットワーク安定性を維持する輻輳制御が含まれる。
【０００４】
ＲＲＭ機能は、様々な入力に基づいてトリガされ、判断を行う。こうした入力の中で、ＷＴＲＵおよびＮｏｄｅ  Ｂによって観測されるエアインタフェース測定値が広く使用される。エアインタフェース測定値は、ＷＴＲＵまたはＮｏｄｅ  Ｂから発信することができる。ＷＴＲＵ測定値および無線リンク特有のＮｏｄｅ  Ｂ測定値は、専用測定値と呼ばれる。セル特有のＮｏｄｅ  Ｂ測定値は、共通測定値と呼ばれる。無線環境の現状態を正確に評価するのに両者のタイプの測定値が使用される。例えば、干渉測定値を使用して、タイムスロットまたは周波数帯内の物理リソースの割当てを決定することができる。
【０００５】
無線環境の状況を評価するのにＲＲＭ機能が依拠する典型的な測定値には、干渉信号コードパワー（ＩＳＣＰ）、受信電力測定値（個々の無線リンクと受信全広帯域電力（ＲＴＷＰ）の両方）、受信信号強度表示（ＲＳＳＩ）、送信出力電力（個々の無線リンク電力と全電力を含む）、および信号対妨害比（ＳＩＲ）測定値が含まれる。こうした測定値は、提案される発明において、適用可能な多くの測定値のうちのほんの数例である。
【０００６】
以下に説明するように、こうした測定値の一部を予測することができ、その最新のレポートとその予測の組合せを、システムが過渡段階にあるときに使用することができる。
【発明の開示】
【発明が解決しようとする課題】
【０００７】
残念ながら、現在のＲＲＭ機能を実施する方式には欠点がある。前述の測定値を利用不能または無効にさせてしまう可能性のあるいくつかの状態がある。まず、測定値が単にレポートされない可能性があり、または測定レポートがエアインタフェースを介して破壊されてしまう可能性がある。例えば、ＷＴＲＵ測定レポートは最終的に、巡回冗長検査（ＣＲＣ）ビットが添付される伝送ブロック（ＴＢ）内にカプセル化される。Ｎｏｄｅ  Ｂ物理層は、ＣＲＣビットを検査することによって誤りが生じたかどうかを判定する。誤りがある場合、Ｎｏｄｅ  Ｂ物理層は、誤りのあるＴＢを誤り表示と共に上層に送達するか、または単に、誤りのあるＴＢが特定の伝送チャネル上もしくは１組の伝送チャネル上で受信されたことを上層に示す。そのようなシナリオは、ＷＴＲＵ測定値を考慮するときに特に関連する。ＷＴＲＵ測定値はエアインタフェースを介して送信されるからである。
【０００８】
第２に、測定値は一般に、その測定値がそれ以後は無効であるとみなされる寿命期間のしきい値（ａｇｅ  ｔｈｒｅｓｈｏｌｄ）を有する。測定レポートが十分に頻繁でない場合、有効な測定値が最終的に無効となり、したがってＲＲＭ機能にとって利用不能となる可能性がある。
【０００９】
最後に、無線リンクまたはシステムが安定化中の過渡的な段階に入ったために測定値が単に無効である可能性がある。例えば、出力電力制御の過渡的な段階のため、無線リンクの構成または再構成に続いて、干渉測定値は一定の期間（最大１／２秒）不安定となる。無線リンクまたはシステムの現状態が不安定であるので、そのような測定値は、ＲＲＭ機能をトリガし、または判定を行うのに使用すべきではない。
【００１０】
したがって、より効果的な無線リソース管理のための測定値を得る改良型のシステムおよび方法が求められている。
【課題を解決するための手段】
【００１１】
本発明は、エアインタフェースリソースを管理する無線リソース制御システムおよび方法である。本発明によれば、無線通信システムが、一定のシステム測定値の利用可能性および有効性を判定することによってＲＲＭデータを取得する。まず、実際のシステム測定値および予測測定値が利用可能であるかが判定され、実際のシステム測定値が有効であるかどうかも判定される。判定結果に応じて、実際のエアインタフェース測定値、予測値、およびデフォルト値の選択的組合せが使用される。あるいは、ＲＲＭ測定値が所望の無線リソースを使用のために割り当てられないこともある。
【００１２】
例示によって与えられ、添付の図面と共に理解すべきである好ましい実施形態に関する以下の説明から、本発明のより詳細な理解を得ることができる。
【発明を実施するための最良の形態】
【００１３】
汎用移動通信システム（ＵＭＴＳ）の一実装である第３世代パートナーシッププロジェクト（３ＧＰＰ）広帯域符号分割多重接続（Ｗ−ＣＤＭＡ）通信システムによる通常の伝送およびＨＳＤＰＡ伝送を使用する音声またはデータ用の本発明の応用例に関連して、本明細書で好ましい実施形態を説明する。本明細書全体を通して３ＧＰＰの用語を使用するが、３ＧＰＰシステムは単に一例として使用しているに過ぎず、測定ベースのＲＲＭが適用できる他の無線通信システムに本発明を応用することができる。
【００１４】
本明細書全体を通して使用される際、「無線送信／受信ユニット」（ＷＴＲＵ）という用語は、限定はしないが、ユーザ装置、移動局、固定または移動加入者ユニット、ページャ、または無線環境において動作することのできるその他のどんなタイプの装置も含む。こうした例示的なタイプの無線環境は、限定はしないが、無線LANおよび公衆陸上移動ネットワークを含む。「Ｎｏｄｅ  Ｂ」という用語は、限定はしないが、基地局、サイトコントローラ、アクセスポイント、または無線環境内のその他のどんなタイプのインタフェース装置も含む。
【００１５】
図１は、本発明によるＲＲＭ機能によって使用される測定値を求める手順２０のフロー図である。まず、実際の測定値および予測値を受け取り、受け取ったときのタイムスタンプと共にデータベースに格納する（ステップ２２）。こうした測定値および値は、コールアドミッション制御、ハンドオーバ制御、出力電力制御、および無線リンクメインテナンスなどの様々なＲＲＭ機能から受信される。それが実際のシステム測定値であるか、それとも予測値であるか（例えば、新しい呼の許可時のシステム影響を予測するコールアドミッション制御機能の場合など）に関わらず、データベースに格納される。ＲＮＣは、測定値および予測値と、それが格納された時の両方のデータベースを維持する。
【００１６】
ＲＮＣが測定値または値を受け取るごとに、ＲＮＣは、受け取った時間に対応するタイムスタンプと共に、それをデータベースに格納する。そのようにすることにより、ＲＮＣは、測定値または値が利用可能であるか（すなわちデータベースに格納されているか）どうかを、その後で判定することができ、利用可能である場合、それがその寿命期間の点で有効であるかどうか（すなわちその寿命期間が一定の寿命期間のしきい値未満であるかどうか）を判定することができる。
【００１７】
ＲＲＭ測定値要求を受け取っていないとステップ３０で判定した場合、さらなる動作は行わず、引き続きステップ２２で実際の測定値および予測値を受信および格納する。ＲＲＭ測定値を求める要求を受け取ったとステップ３０で判定した場合、ＲＮＣは、要求されたＲＲＭ測定値についてデータベースを調査し、要求されたＲＲＭ測定値が利用可能であるかどうかを判定する。測定値レポートが送られなかったため、または測定値レポートがエアインタフェース上で破壊されたために、測定値が利用不能である（すなわち測定値がデータベースに格納されていない）可能性がある。実際のシステム測定値が利用不能であるとステップ３４で判定した場合、予測値が利用可能であるかどうかに関して判定を行う（ステップ３６）。
【００１８】
予測値（ＭＰＲＥＤＩＣＴＥＤ）は以下のように求められる。あるＲＲＭ機能が動作を実行したとき、その動作を実行した後に、あるシステム測定値（干渉や出力電力など）がどうなるかを予測することができる。例えば、１つのＲＲＭ機能はコールアドミッション制御（ＣＡＣ）アルゴリズムである。ＣＡＣアルゴリズムは、呼が追加された後に干渉および出力電力がどうなるかを予測する。予測したレベルが許容可能である場合、その呼を追加する。予測したレベルが許容可能ではない場合、その呼を拒絶する。本発明によれば、予測した干渉値および出力値（ならびにその他のタイプの予測値）が格納され、干渉および出力電力に関する予測値として使用される。ＲＲＭ値の予測は多くの異なるタイプのＲＲＭ機能に関して従来技術において周知であり、特定の予測方法は本発明にとって重要ではないので、以下では詳細に説明しない。
【００１９】
予測値が利用可能である場合、予測値を使用し（ステップ３８）、そうでない場合、デフォルト値を使用する（ステップ４０）。
【００２０】
デフォルト値は、履歴状態および一連の測定値または評価によって確立される所定の値である。本質的には、デフォルト値は、事前に格納され、所望のときに取り出される所定の値である。デフォルト値は通常、ＲＲＭ機能が控え目な形で振る舞うように選ばれる。
【００２１】
実際のシステム測定値が利用可能であるとステップ３４で判定した場合、実際のシステム測定値が有効であるかどうかを判定する（ステップ４２）。前述のように、実際のシステム測定値の有効性に関して、こうした測定値は、古過ぎるために無効である可能性があり、またはシステムが過渡的な段階にあり、測定値がシステムの状態を正確に表さないために無効である可能性がある。
【００２２】
測定値の寿命期間に関して、測定値レポートをＲＮＣデータベースで受け取ると、それにタイムスタンプを割り当てる。タイムスタンプは、測定値レポートを受け取った時間に対応する。測定値をメモリから取り出したとき、そのタイムスタンプを読み取る。測定値が、ある測定値の寿命期間しきい値（例えば１秒）よりも古いことをタイムスタンプが示す場合、その測定値は無効とみなされる。
【００２３】
システムが過渡期のときに測定値が取得されたことによる測定値の無効性に関して、前述のように、各ＲＲＭ機能を１つまたは複数のＲＲＭ測定値と関連付ける。ＲＲＭ機能がシステム上で動作を実施するごとに、ＲＲＭは、動作が行われた時刻を求める。この時刻が「過渡期間」の開始に対応する。過渡期間は一定の期間続き、その後の時点でシステムは再び安定であるとみなされる。過渡期間の継続時間は、ＲＲＭ機能によって実行された動作のタイプに依存する。過渡期間の継続時間は、設計パラメータである。
【００２４】
特定のＲＲＭ測定値をそのＲＲＭ機能の過渡期間の間に取得したとき、それは無効とみなされる。このことは、いくつかの方式によって判定することができる。第１の選択肢では、ＲＲＭ測定値が過渡期間の間に取得されたか否かについての表示を、データベースに格納された各ＲＲＭ測定値に関連付ける。こうした測定値は格納されるが、無効とみなされることになる。
【００２５】
第２の選択肢では、各ＲＲＭ過渡期の始まりについてのタイムスタンプを別々に格納する。ＲＲＭ測定値をデータベースから取り出したとき、そのタイムスタンプを、過渡期間のタイムスタンプと比較することができる。取り出されたＲＲＭ測定値のタイムスタンプが過渡期間（すなわちＲＲＭ過渡期の始まりのタイムスタンプと過渡期間の継続時間の和）内にある場合、その取り出されたＲＲＭ測定値は無効であると判定する。
【００２６】
第３の選択肢では、単に、予測測定値がデータベース内にあるかどうかを判定し、データベース内にある場合、そのタイムスタンプを求めることにより、実際の測定値を無効と宣言することができる。この選択肢は、予測測定値をデータベースに書き込むときにちょうど過渡期が始まると仮定する。そのような無効性の判定を実施することのできる多くの異なる方式が存在するので、こうした選択肢は例示的なものに過ぎず、限定的なものではないものとする。
【００２７】
システムは、実際の測定値の寿命期間とシステムの安定性の両方に鑑みて実際の測定値の有効性を判定する。実際の測定値が有効であるとステップ４２で判定した場合、実際の測定値を使用する（ステップ４４）。
【００２８】
ステップ４２で実際の測定値が有効ではないとみなされる場合、予測値が利用可能かどうかに関して判定を行う（ステップ４６）。ステップ４６で予測値が利用可能であると判定した場合、実際の測定値を予測値と組み合わせる（ステップ４８）。
【００２９】
次に、ステップ４８で実施される実際の測定値と予測値の組合せを説明する。値を組み合わせるための多くの異なる方式があることを当業者は理解しているが、好ましい一実施形態においては、本発明は、以下のような実際の測定値（ＭＡＣＴＵＡＬ）と予測値（ＭＰＲＥＤＩＣＴＥＤ）の組合せを使用する。
【００３０】
Ｍ（ｔ）＝α（ｔ）・ＭＰＲＥＤＩＣＴＥＤ＋（１−α（ｔ））・ＭＡＣＴＵＡＬ    式（１）
【００３１】
上式において、α（ｔ）は時間変動重み関数であり、ｔは過渡期間の始まりから経過した時間に関する量を表す（すなわち、過渡期間はｔ＝０で始まる）。Ｍ（ｔ）は、ＲＲＭ機能に供給される、時刻ｔにおける組合せ後の測定値を表す。通常αは、１と０との間で単調減少する関数である。好ましくは、αはｔ＝０、すなわち過渡期間の始まりの直後では１に等しくなるべきであり、過渡期間の終り、すなわち実際の測定値が安定であるとみなされた後は０に等しくなるべきである。
【００３２】
１秒の継続時間の過渡段階について、例α重み関数を図２Ａおよび図２Ｂに示す。図２Ａでは、時間変動はほぼ直線的関数であり、一方図２Ｂでは、時間変動によりαが当初ゆっくりと減少し、その後に急速に減少する。αの性質に応じて、これを指数関数的変化または幾何学的変化で近似することができる。
【００３３】
過渡期中（すなわちαがゼロに達する前）に後続の動作を行うことが可能である。後続の動作がＲＲＭ機能によって行われるとき、システムは「新しい」過渡期間に入る。いくつかのＲＲＭ機能は通常、時刻ｔ１で行われる動作に続いて値がどうなるかを予測するので、予測値はＭ（ｔ１）に基づく。この場合、ＭＰＲＥＤＩＣＴＥＤはＭ（ｔ１）に基づいて作成される。ただしｔ１は後続の動作がトリガされる時である。
【００３４】
さらに、後続の動作の完了時にｔがゼロにリセットされる（すなわち新しい過渡期間が始まる）。新しい過渡期間が始まる場合、ｔ２で動作する後続の任意のＲＲＭ機能は、過渡段階の始まりとしてｔ１を使用する。その結果、式１中のｔはｔ＝ｔ２−ｔ１となる。
【００３５】
図１に戻ると、実際の測定値は有効でないとステップ４２において判定し、予測値が利用可能でないとステップ４６で判定した場合、ＲＮＣは、以下の４つのオプションのうちの１つを実施することができる（ステップ５０）。１）ステップ４０と同様にデフォルト値を使用する、２）実際の測定値をデフォルト値と組み合わせる、３）実際の測定値にマージンを加える、または４）問題のリソースを利用不能と宣言する。
【００３６】
第１のオプション、デフォルト値を使用、に関しては、これはステップ４０を参照して説明した。
【００３７】
第２のオプション、実際の測定値とデフォルト値を組み合わせ、に関しては、ＲＮＣは、測定値が無効である理由に基づいて異なる方式でこれらを組み合わせる。データベース内の最新の測定値が古過ぎるために測定値が無効である場合、式（１）と同様の式を使用することができる。
【００３８】
Ｍ（ｔ）＝α（ｔ）・ＭＡＣＴＵＡＬ＋（１−α（ｔ））・ＭＤＥＦＡＵＬＴ
式（２）
【００３９】
式（２）では、時間遅延αの項がＭＡＣＴＵＡＬに適用され、ｔは、測定値がデータベースに格納されてから経過した時間である。好ましくは、このα関数は、ずっとゆっくりと減衰するように選ばれる点で、式（１）において使用される関数とは異なる。
【００４０】
システムが過渡状態にあるために実際の測定値が無効であると宣言されるが、新しい実際の測定値が利用可能である場合、実際の測定値とデフォルト値との重み付け組合せを使用する。
【００４１】
Ｍ＝Ａ・ＭＡＣＴＵＡＬ＋Ｂ・ＭＤＥＦＡＵＬＴ      式（３）
【００４２】
上式においてＡ＋Ｂ＝１であり、重み因子ＡおよびＢは、シミュレーションまたはシステムの観測に基づいて最適化される構成可能なパラメータである。異なる測定値が異なる重み因子を有することができることに留意されたい。
【００４３】
マージンを実際の測定値に追加する第３のオプションに関しては、好ましくは、時間変化する誤差マージンが、以下に記述されるように実際の測定値に加算される。
【００４４】
Ｍ＝ＭＡＣＴＵＡＬ±ＭＡＲＧＩＮ        式（４）
【００４５】
上式においてＭＡＲＧＩＮは、時刻ゼロ、すなわち過渡期間の開始の直後に大きく、過渡期が終了するときにゼロまで単調減少する時間変化するマージンである。式（１）の場合と同じく、実際の測定値が利用可能であるときに式（４）が実行されるが、過渡期間またはタイムスタンプの満了のために有効ではないとみなされる。このオプションは、測定値または指標値（ｍｅｔｒｉｃ）が収束値に向かって単調増加または単調減少する場合にのみ有効であることに留意されたい。測定値または指標値が収束値の周りで振動している場合、このオプションは最適ではない。
【００４６】
このオプションは、予測測定値が過渡期間の間に存在すると想定する必要はないという利点を有する。予測測定値が利用可能であるときに式（１）を実行し、マージンが最良の「予測」と考えられるときに式（４）を実行することがさらに可能である。
【００４７】
リソースが利用不能であると宣言することに関するステップ５０の最後のオプションに関しては、実際の測定値、予測値、実際の測定値にマージンを加えること、またはこれらのオプションのいずれかの組合せが望ましくないと判定した場合、システムは単に、ＲＲＭ測定値の送信を拒否することができ、ＲＲＭ測定値が要求されたリソースがアシスタントによって利用不能とみなされる。したがって、こうしたリソースは使用されない。
【００４８】
次いで、ステップ４４で実際の値を使用するか、ステップ３８で予測値を使用するか、ステップ４０でデフォルト値を使用するか、ステップ４８で実際の測定値と予測値の組合せを使用するか、それともステップ５０でオプションのうちの１つを使用するかに関する判定結果を使用して、要求されたＲＲＭ測定値を提供する。
【００４９】
測定値の管理を容易にするために、ＲＮＣにおいて、集中型測定制御ユニットが使用される。集中型測定制御ユニットは以下の機能を実施する。１）受信した測定値を中央システム（ｓｔｒｕｃｔｕｒｅ）内に格納すること、および２）測定値フィルタリング、測定値寿命期間および有効性の追跡（例えば受信時にタイムスタンプを割り当てること、および寿命期間のしきい値と比較）、および予測値と実際の測定値の間で選択し、またはそれらを組み合わせることを含む測定値処理。
【００５０】
本発明に従って作成された集中型測定値制御ユニット８０を図３に示す。測定値制御ユニット８０は、測定値セットアップユニット８１、測定値受信および格納ユニット８２、測定値処理装置８３、および測定値出力ユニット８４を含む。
【００５１】
測定値セットアップユニット８１は、ＷＴＲＵおよびＮｏｄｅ  Ｂに関する測定値セットアップ手順を実施する。測定値セットアップユニット８１は、測定値のセットアップおよび構成を担当する。より具体的には、測定値セットアップユニット８１は、Ｎｏｄｅ  ＢおよびＷＴＲＵ  ＲＲＣ層と通信して測定値をセットアップ、修正、および終了し、すべての測定値構成の詳細を与える（例えば平均期間、レポート基準／期間）。
【００５２】
測定値受信および格納ユニット８２は、実際の、および予測されるＷＴＲＵおよびＮｏｄｅ  Ｂ測定値を組織化されたシステム（ｓｔｒｕｃｔｕｒｅ）内に格納する。これは、測定値の寿命期間を追跡するために測定値の受信時にタイムスタンプ情報を割り当てることを含む。
【００５３】
測定値処理装置８３は、受信した測定値をフィルタし、測定値の有効性および／または利用可能性を検証し、実際の測定値、予測値、およびデフォルトを適宜組み合わせる。測定処理装置８３は、本発明に記載の測定値処理のすべてを担う。
【００５４】
測定値出力ユニット８４は、適切な測定値を要求時にＲＲＭに提供する（すなわち、図１のステップ３８、４０、４４、４８、および５０に示すように、有効なときに実際の測定値を提供し、利用不能または無効なときは予測値を提供し、あるいは実際の測定値、予測値、およびデフォルト値の組合せを提供する）。さらに、任意に、測定値出力ユニット８４は、測定値が所定のしきい値を超過したときにＲＲＭ機能をトリガする役目を担うことができる。
【図面の簡単な説明】
【００５５】
【図１】本発明によるＲＲＭ機能に関する異なるタイプの値の使用を示すフロー図である。
【図２Ａ】本発明に従って使用される時間変動重み関数である。
【図２Ｂ】本発明に従って使用される時間変動重み関数である。
【図３】本発明に従って作成された集中型測定制御ユニットである。
【図１】
2007521746.tif 000003
【図２Ａ】
2007521746.tif 000004
【図２Ｂ】
2007521746.tif 000005
【図３】
2007521746.tif 000006
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
エアインタフェースリソースを監視し、無線リソース管理に関する出力を提供する無線リソース制御ユニットであって、
エアインタフェース測定値を得るエアインタフェース測定ユニットと、
前記エアインタフェース測定値を格納する記憶装置と、
前記エアインタフェース測定値を処理し、前記エアインタフェース測定値の代わりに代替値を使用するかどうかを決定して、前記エアインタフェース測定値および前記代替値の１つから前記出力を提供する処理装置と、
を備え、
前記エアインタフェース測定値の少なくとも一部は予測測定値および前記代替値の１つであることを特徴とする制御ユニット。
【請求項２】
前記エアインタフェース測定値の少なくとも一部は、実際の測定値であることを特徴とする請求項１に記載の制御ユニット。
【請求項３】
実際の測定値および予測測定値が、前記処理装置によって選択的に組み合わされることを特徴とする請求項２に記載の制御ユニット。
【請求項４】
前記処理装置は、実際の測定値の利用可能性を判定し、
前記代替値を使用すると決定する場合には、前記処理装置は予測値の利用可能性を判定し、
前記予測値が利用可能な場合には、前記処理装置は前記予測値を使用し、前記予測値が利用可能でない場合には、前記処理措置はデフォルト値を使用することを特徴とする請求項２または３に記載の制御ユニット。
【請求項５】
前記予測値が利用可能でない場合は、前記処理装置は、
（ａ）  デフォルト値
（ｂ）  実際の測定値とデフォルト値の組合せ
（ｃ）  実際の測定値  プラス  所定のマージン  または、
（ｄ）  リソースが利用不能であることの決定
の内の１つの選択を行うことを特徴とする請求項４に記載の制御ユニット。
【請求項６】
前記記憶装置は、格納したエアインタフェース測定値ごとにタイムスタンプも格納し、前記タイムスタンプは、前記エアインタフェース測定値が格納された時刻に対応することを特徴とする請求項１乃至５いずれかに記載の制御ユニット。  
【請求項７】
無線リソース管理データを得る方法であって、
エアインタフェース測定値が利用可能な場合には、エアインタフェース測定値を得るステップと、
前記エアインタフェース測定値を格納するステップと、
各エアインタフェース測定値が格納される時間を示すタイムスタンプを生成および格納するステップと、
前記エアインタフェース測定値に対して、１つ以上の代替的な値を提供するステップであって、前記代替的な値は少なくとも１つの予測値を含むことと、
出力データを提供するために、前記エアインタフェース測定値を処理するステップと、
前記エアインタフェース測定値に代わりに、前記代替的な値を使用するかどうかを判定するステップと、
を備えることを特徴とする方法。
【請求項８】
処理する前記ステップは、対応するタイムスタンプをしきい値と比較することによってエアインタフェース測定値が有効であるかどうかを判定し、前記タイムスタンプが前記エアインタフェースしきい値よりも古い場合、前記エアインタフェース測定値は無効と宣言されることを特徴とする請求項７に記載の方法。
【請求項８】
処理する前記ステップは、
過渡期間の発生を判定すること、および
エアインタフェース測定値のタイムスタンプを過渡期間の発生と比較することによってエアインタフェース測定値が有効であるかどうかを判定し、前記タイムスタンプが前記過渡期間内にある場合、前記エアインタフェース測定値を無効であると宣言されること、
を特徴とする請求項７に記載の方法。
【請求項９】
前記判定することは、前記エアインタフェース測定値が格納されるときに実行され、対応する有効性の表示も前記エアインタフェース測定値と共に格納されることを特徴とする請求項８に記載の方法。
【請求項１０】
前記出力データは、デフォルト値を含むことを特徴とする請求項７に記載の方法。
【請求項１１】
前記出力データは、予測値および実際のデータの組合せを含むことを特徴とする請求項５に記載の方法。
【請求項１２】
実際の測定値の利用可能性を判定するステップと、
前記代替的な値を使用すると決定した場合は、前記処理装置は、予測値の利用可能性を判定するステップと、
前記予測値が利用可能な場合には、前記予測値を使用するステップと、
前記予測値が利用可能でない場合には、デフォルト値を使用するステップと、
を備えることを特徴とする請求項７に記載の方法。
【請求項１３】
前記予測値が利用可能でない場合は、
（ａ）  デフォルト値
（ｂ）  実際の測定値とデフォルト値の組合せ
（ｃ）  実際の測定値  プラス  所定のマージン  または、
（ｄ）  リソースが利用不能であることの決定
の内の１つの選択することを特徴とする請求項１２に記載の方法。
【請求項１４】
処理する前記ステップは、対応するタイムスタンプを閾値と比較することによって、前記エアインタフェース測定値が有効であるかどうかを判定し、前記タイムスタンプが前記エアインタフェース閾値よりも古い場合には、前記エアインタフェース測定値は無効であると宣言されることを特徴とする請求項７乃至１３のいずれかに記載の方法。
【国際調査報告】
2007521746.tif 000007
2007521746.tif 000008